(57)【要約】【課題】日光を浴びているような感覚が得られる照明装置を提供すること。【解決手段】照明装置は光を照射する。照明装置は、前記光の光源と、前記光の経路に設けられたパネル部材とを備える。前記パネル部材は、前記光の少なくとも一部を、前記パネル部材の板厚方向に透過させるとともに、前記光の進行方向に熱を放射する。前記光源は、例えば、前記光を発光する発光面を備えたパネル状の光源である。前記光源は、例えば、前記発光面が前記パネル部材と対向するように配置されている。【選択図】図２
2020140821.tif 000002
【特許請求の範囲】
【請求項１】
光を照射する照明装置であって、
前記光の光源と、
前記光の経路に設けられたパネル部材と、
を備え、
前記パネル部材は、前記光の少なくとも一部を、前記パネル部材の板厚方向に透過させるとともに、前記光の進行方向に熱を放射するように構成された照明装置。
【請求項２】
請求項１に記載の照明装置であって、
前記光源は、前記光を発光する発光面を備えたパネル状の光源であり、
前記光源は、前記発光面が前記パネル部材と対向するように配置されている照明装置。
【請求項３】
請求項１又は２に記載の照明装置であって、
前記光源と前記パネル部材との間に配置された中間パネル部材をさらに備え、
前記中間パネル部材は、前記光の少なくとも一部を、前記中間パネル部材の板厚方向に透過させる第１部分と、前記第１部分よりも前記光を前記板厚方向に透過させ難い第２部分とを有する照明装置。
【発明の詳細な説明】
【技術分野】
【０００１】
本開示は照明装置に関する。
【背景技術】
【０００２】
特許文献１に、ＬＥＤパネルを使用した照明装置が開示されている。
【先行技術文献】
【特許文献】
【０００３】
【特許文献１】特開２００８−２８２７８２号公報
【発明の概要】
【発明が解決しようとする課題】
【０００４】
従来の照明装置を使用しても、ユーザは、日光を浴びているような感覚を得ることはできなかった。本開示の１つの局面は、日光を浴びているような感覚が得られる照明装置を提供することにある。  
【課題を解決するための手段】
【０００５】
本開示の１つの局面は、光を照射する照明装置であって、前記光の光源と、前記光の経路に設けられたパネル部材と、を備え、前記パネル部材は、前記光の少なくとも一部を、前記パネル部材の板厚方向に透過させるとともに、前記光の進行方向に熱を放射するように構成された照明装置である。
【０００６】
本開示の１つの局面である照明装置はパネル部材を備える。光源が生成した光の少なくとも一部は、パネル部材を透過し、さらに進行する。また、パネル部材は、光の進行方向に熱を放射する。そのため、本開示の１つの局面である照明装置は、光の進行方向に、光と熱とを供給することができる。その結果、ユーザは、あたかも、日光を浴びているような感覚を得ることができる。
【図面の簡単な説明】
【０００７】
【図１】照明装置１の構成を表す斜視図である。
【図２】照明装置１の構成を表す分解斜視図である。
【図３】照明装置１の構成を表す正面図である。
【図４】図３におけるＩＶ−ＩＶ断面での断面図である。
【図５】図３におけるＶ−Ｖ断面での断面図である。
【図６】固定部材２１の周辺の構成を表す断面図である。
【図７】照明装置１の電気的構成を表すブロック図である。
【発明を実施するための形態】
【０００８】
本開示の例示的な実施形態について図面を参照しながら説明する。
＜第１実施形態＞
１．照明装置１の構成
照明装置１の構成を、図１〜図７に基づき説明する。照明装置１は光を照射する。照明装置１は、例えば、住宅用の照明装置として使用できる。照明装置１は、図２に示すように、光源３と、パネル部材５と、中間パネル部材７と、枠体９と、を備える。
【０００９】
図２に示すように、光源３は、矩形のパネル状の形態を有する。光源３はＬＥＤパネルである。光源３の一方の主面は発光面３Ａである。発光面３Ａは、面全体にわたって発光する。発光面３Ａは、進行方向Ｄに光を照射する。進行方向Ｄは、発光面３Ａと直交する方向を含み、一定の広がりを有する方向である。図２、図４に示すように、光源３は電極４を備える。電極４は、光源３の端面のうち、対向する２辺の端面に形成されている。
【００１０】
図２に示すように、パネル部材５は、矩形のパネル状の形態を有する。板厚方向から見たパネル部材５の形状は、板厚方向から見た光源３の形状と同じである。パネル部材５は、透明なガラスから成るパネル本体と、そのパネル本体の表面に形成された透明導電層とを備える。透明導電層に電流を流すと、パネル部材５は熱を放射する。
【００１１】
図２、図４、図５に示すように、パネル部材５は、光源３が照射する光の経路に設けられている。パネル部材５は、発光面３Ａと対向するように配置されている。中間パネル部材７が取り付けられている場合、パネル部材５と発光面３Ａとは、中間パネル部材７を挟んで対向している。パネル部材５の板厚方向と、光源３の板厚方向とは、平行である。パネル部材５及び光源３の板厚方向から見たとき、パネル部材５の全体は、光源３と重なる。
【００１２】
パネル部材５は、光源３が照射する光の少なくとも一部を、パネル部材５の板厚方向に透過させる。パネル部材５は、進行方向Ｄに熱を放射する。図２、図４に示すように、パネル部材５は電極６を備える。電極６は、パネル部材５の端面のうち、対向する２辺の端面に形成されている。
【００１３】
図２に示すように、中間パネル部材７は、矩形のパネル状の形態を有する。板厚方向から見た中間パネル部材７の形状は、板厚方向から見た光源３及びパネル部材５の形状と同じである。
図２、図４、図５に示すように、中間パネル部材７は、光源３とパネル部材５との間に配置されている。中間パネル部材７は、光源３が照射する光の経路に設けられている。中間パネル部材７は、光源３及びパネル部材５と対向するように配置されている。中間パネル部材７の板厚方向と、光源３及びパネル部材５の板厚方向とは、平行である。中間パネル部材７の板厚方向から見たとき、中間パネル部材７の全体は、光源３及びパネル部材５と重なる。
【００１４】
図２に示すように、中間パネル部材７は、第１部７Ａと、第２部７Ｂと、を備える。第２部７Ｂは、格子状の形態を有する部分である。第１部７Ａは、第２部７Ｂを除く部分である。第１部７Ａは、光源３が照射した光の大部分を、中間パネル部材７の板厚方向に透過させる部分である。第２部７Ｂは、第１部７Ａよりも、光源３が照射した光を、中間パネル部材７の板厚方向に透過させ難い部分である。
【００１５】
図１〜図５に示すように、枠体９は、矩形の枠の形態を有する。枠体９は、４つの辺１１、１３、１５、１７により構成される。図２、図４〜図６に示すように、辺１１、１３、１５、１７の内側に、それぞれ、凹部１９が形成されている。凹部１９は、辺１１、１３、１５、１７の長手方向に沿って延びている。
【００１６】
それぞれの凹部１９には、固定部材２１が差し込まれている。固定部材２１は、角柱状の基本形態を有する。固定部材２１は、辺１１、１３、１５、１７の長手方向に沿って延びている。図６に示すように、それぞれの固定部材２１の内側に、溝２３、２５、２７が形成されている。溝２３、２５、２７は、辺１１、１３、１５、１７の長手方向に沿って延びている。溝２３、２５、２７は互いに平行である。
【００１７】
枠体９は、光源３、パネル部材５、及び中間パネル部材７を固定する機能を有する。図１〜図５に示すように、光源３、パネル部材５、及び中間パネル部材７は、それぞれ、枠体９の内側にはめこまれている。図６に示すように、光源３の端部は、辺１１、１３、１５、１７のそれぞれにおいて、溝２３に差し込まれている。光源３の端部のうち、電極４が形成された端部は、辺１３、１７における溝２３に差し込まれている。
【００１８】
また、パネル部材５の端部は、辺１１、１３、１５、１７のそれぞれにおいて、溝２７に差し込まれている。パネル部材５の端部のうち、電極６が形成された端部は、辺１３、１７における溝２７に差し込まれている。また、中間パネル部材７の端部は、辺１１、１３、１５、１７のそれぞれにおいて、溝２５に差し込まれている。
【００１９】
図１、図２に示すように、辺１１にスリット２９が形成されている。スリット２９は、辺１１の外側と内側とを連通する。スリット２９は辺１１の長手方向に沿って延びている。スリット２９から、中間パネル部材７を枠体９の内側に差し込むことができる。また、スリット２９から、中間パネル部材７を枠体９の外側に取り出すことができる。パネル部材５が発生した熱の一部は、スリット２９から排出される。図１、図２に示すように、辺１３の外側に、第１操作部３１と、第２操作部３３とが設けられている。
【００２０】
照明装置１は、図７に示す電気的構成を備える。照明装置１は、光源３、パネル部材５、第１操作部３１、及び第２操作部３３に加えて、制御部３５を備える。制御部３５は枠体９の内部に収容されている。照明装置１は、外部電源３７から電力を供給される。第１操作部３１、及び第２操作部３３は、ユーザの操作を受け付ける。
【００２１】
制御部３５は、電極４を介して光源３と接続している。制御部３５は、電極６を介してパネル部材５と接続している。制御部３５は、第１操作部３１、及び第２操作部３３と接続している。制御部３５は公知のマイクロコンピュータを備える。
【００２２】
ユーザは、第１操作部３１に対して、主電源のオン／オフを指示する操作と、光源３の照度を指示する操作とを行うことができる。制御部３５は、第１操作部３１に対する操作に応じて、照明装置１の主電源をオン／オフしたり、光源３の照度を設定したりする。
【００２３】
ユーザは、第２操作部３３に対して、パネル部材５が発生する熱量を指示する操作を行うことができる。制御部３５は、第２操作部３３に対する操作に応じて、パネル部材５が発生する熱量を設定する。
【００２４】
２．照明装置１が奏する効果
（１Ａ）光源３は、進行方向Ｄへ光を照射する。光の少なくとも一部は、中間パネル部材７及びパネル部材５を透過し、さらに、進行方向Ｄへ進む。また、パネル部材５は、進行方向Ｄに熱を放射する。そのため、照明装置１は、進行方向Ｄに、光と熱とを供給することができる。その結果、ユーザは、あたかも、日光を浴びているような感覚を得ることができる。
【００２５】
（１Ｂ）光源３は、発光面３Ａを備えたパネル状の光源である。そのため、照明装置１は、広い面積にわたって、均一な照度の光を供給することができる。
（１Ｃ）光源３が照射する光は中間パネル部材７を透過する。第２部分７Ｂは、第１部分７Ａよりも光を透過させ難い。そのため、中間パネル部材７を透過した光は、第１部分７Ａを透過した明部と、第２部分７Ｂを透過した暗部とから成る明暗のパターン有する光となる。その結果、照明装置１は、意匠性が高い光を照射することができる。
＜他の実施形態＞
以上、本開示の実施形態について説明したが、本開示は上述の実施形態に限定されることなく、種々変形して実施することができる。
【００２６】
（１）光源３は、ＬＥＤパネル以外の光源であってもよい。例えば、光源３は、蛍光灯、白熱灯等であってもよい。
（２）パネル部材５は、透明導電層を備えるものでなくてもよい。例えば、透明なパネルの表面に、線状のヒータを取り付けたものであってもよい。パネル部材５を構成するパネル本体は、ガラス以外の材質から成るものであってもよい。ガラス以外の材質として、例えば、透明な樹脂等が挙げられる。樹脂として、例えば、ポリカーボネート等が挙げられる。
【００２７】
（３）第２部７Ｂの形状は、格子状以外の形状であってもよい。例えば、第２部７Ｂの形状は、ステンドガラスの形状、障子の形状、雑木林を表す絵の形状、幾何学模様の形状、ランダムな模様の形状等であってもよい。
【００２８】
（４）照明装置１は、中間パネル部材７を備えていなくてもよい。
（５）照明装置１は、枠体９を備えていなくてもよい。照明装置１は、例えば、光源３、パネル部材５、中間パネル部材７を貫通するボルト等により、光源３、パネル部材５、中間パネル部材７を固定してもよい。枠体９は、４辺ではなく、１〜３辺を備えるものであってもよい。
（６）照明装置１は、車両、船舶、航空機等の照明装置であってもよい。また、照明装置１は、携帯可能な照明装置であってもよい。また、照明装置１は、屋外用の照明装置であってもよい。
（７）パネル部材５は、赤外線、遠赤外線等を放射するものであってもよい。
【００２９】
（８）本開示に記載の制御部３５及びその手法は、コンピュータプログラムにより具体化された一つ乃至は複数の機能を実行するようにプログラムされたプロセッサ及びメモリを構成することによって提供された専用コンピュータにより、実現されてもよい。あるいは、本開示に記載の制御部３５及びその手法は、一つ以上の専用ハードウェア論理回路によってプロセッサを構成することによって提供された専用コンピュータにより、実現されてもよい。もしくは、本開示に記載の制御部３５及びその手法は、一つ乃至は複数の機能を実行するようにプログラムされたプロセッサ及びメモリと一つ以上のハードウェア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されてもよい。制御部３５に含まれる各部の機能を実現する手法には、必ずしもソフトウェアが含まれている必要はなく、その全部の機能が、一つあるいは複数のハードウェアを用いて実現されてもよい。
【００３０】
（９）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。
【００３１】
（１０）上述した照明装置１の他、当該照明装置１を構成要素とするシステム、制御部３５としてコンピュータを機能させるためのプログラム、このプログラムを記録した半導体メモリ等の非遷移的実態的記録媒体、照明方法等、種々の形態で本開示を実現することもできる。
【符号の説明】
【００３２】
１…照明装置、３…光源、３Ａ…発光面、４…電極、５…パネル部材、６…電極、７…中間パネル部材、７Ａ…第１部、７Ｂ…第２部、９…枠体、１１、１３、１５、１７…辺、１９…凹部、２１…固定部材、２３、２５、２７…溝、２９…スリット、３１…第１操作部、３３…第２操作部、３５…制御部、３７…外部電源
【図１】
2020140821.tif 000003
【図２】
2020140821.tif 000004
【図３】
2020140821.tif 000005
【図４】
2020140821.tif 000006
【図５】
2020140821.tif 000007
【図６】
2020140821.tif 000008
【図７】
2020140821.tif 000009